(57)【要約】【課題】小小根太を設けなくとも、フローリング材を小根太に釘留めすることができる温調マットを提供する。【解決手段】床暖房マット１は、分割マットＡ〜Ｈを配列してなる。分割マットＥの基板１０にヘッダ６が配置されている。ヘッダ６を有しない大部分の基板１０〜１６同士の間の小根太３０は、１本の長い小根太のみにて構成されている。分割マットＥの基板１０，１１間の小根太３０’は、該基板１０，１１の外側辺側に配置された第１小根太３０Ａと、該基板１０，１１の内側辺側に配置された第２小根太３０Ｂとを有している。基板１０，１１の外側辺と第１小根太３０Ａとの間のスペースに第１連結部３２が形成され、第１小根太３０Ａと第２小根太３０Ｂとの間に第２連結部３３が形成されている。ヘッダ６に接続された４本の温水配管３のうち２本が第１連結部３２を通り、残り２本が第２連結部３３を通って基板１０から基板１１に引き回されている。【選択図】図２
2009109132.tif 000002
【特許請求の範囲】
【請求項１】
床上に敷設される略方形の平面視形状を有した温調マットであって、
該温調マットは、
それぞれ、対向する１対の第１の端辺（Ｌ１）と、該第１の端辺（Ｌ１）と交叉方向に延在した、対向する１対の第２の端辺（Ｌ２）とを有する平面視四角形状であり、且つそれぞれ上面に配管収容用の溝が設けられており、該第１の端辺（Ｌ１）同士を平行にして配列された複数枚の基板と、
各基板の該第１の端辺（Ｌ１）同士の間に配置された小根太と、
一部の基板の一方の該第２の端辺（Ｌ２）近傍に設けられたヘッダと、
該ヘッダに連なり、該溝に収容された温調用配管と、
各基板の上面を覆うように配置された均熱シートと
を有し、
前記ヘッダは、該ヘッダを有したヘッダ付き基板の該第１の端辺（Ｌ１）の小根太に対面する側部にｎ個（ｎは２以上）の配管接続口を備え、各配管接続口にそれぞれ前記温調配管が接続されており、
該配管接続口に対面する該小根太は、前記一方の第２の端辺（Ｌ２）側の第１小根太と、該第１小根太と間隔をあけて配置された第２小根太とを有しており、
該第１小根太と前記一方の第２の端辺（Ｌ２）との間に第１のスペースがあいており、第１小根太と第２小根太との間に第２のスペースがあいており、
前記ヘッダの前記配管接続口に連なる温調配管の一部のものは該第１のスペースを通って、そして他のものは第２のスペースを通って、それぞれ前記ヘッダ付き基板から、隣接基板に引き回されていることを特徴とする温調マット。
【請求項２】
請求項１において、前記ヘッダ付き基板以外の基板同士の間の小根太と、該基板の前記第２の端辺（Ｌ２）との間に第３のスペースがあいており、該第３のスペースにｎ本の前記温調配管が引き通されていることを特徴とする温調マット。
【請求項３】
請求項１又は２において、前記一方の第２の端辺（Ｌ２）と前記第１小根太の前記第２小根太側の先端との距離が実質的に３０３ｍｍの整数倍であることを特徴とする温調マット。
【請求項４】
請求項１ないし３のいずれか１項において、前記基板の第１の端辺（Ｌ１）方向における前記第２のスペースの幅は実質的に３０３ｍｍ以下であることを特徴とする温調マット。
【請求項５】
請求項２ないし４のいずれか１項において、前記基板の第１の端辺（Ｌ１）方向における前記第１のスペース及び第３のスペースの幅は、それぞれ実質的に１５１．５ｍｍよりも小さいことを特徴とする温調マット。
【発明の詳細な説明】
【技術分野】
【０００１】
本発明は、床上に敷設される温調マットに係り、特に、温調マットの各基板間に小根太が配置されている温調マットに関する。さらに詳しくは、本発明は、フローリング材がこれらの小根太に跨って配材されて小根太に釘留めされるように施工される温調マットに関する。
【背景技術】
【０００２】
基板の上面に温水配管を引き回してなる温水マットを床上に配置し、その上にフローリング材を敷設した暖房床がある。
【０００３】
この温水マットとして、フローリング材を固定するための小根太を備えたものが特開２００６−２２６６０４号公報に記載されている。
【０００４】
第５図は同号公報の図１の温調マットを示す平面図である。なお、同図では均熱シートの図示が省略されている。
【０００５】
この温調マットは、複数枚の長方形の基板７０と、各基板７０の長辺同士の間に配置された小根太とを有している。各基板７０の上面には溝が設けられ、温調配管７１が該溝を通って引き回されている。１つの基板７０（７０Ａ）の短辺からは小さい方形の切欠状のヘッダ設置部７２が設けられ、このヘッダ設置部７２内にヘッダが設けられている。
【０００６】
第６図は第５図のヘッダ付近の拡大図（上記公報には図示なし。）である。第６図に示すように、ヘッダ７３には、基板７０の長辺と平行な１対の側辺にそれぞれ４個の配管接続口７４が設けられ、各接続口７４にそれぞれ温調配管７１の末端が接続されている。上記の小根太は、短い小小根太８１と、長い長小根太８２とからなり、小小根太８１と長小根太８２との間には温調配管７１を引き通すためのスペース８３があいている。
【０００７】
この温調マットを床下地の上面に敷設した後、長方形板状のフローリング材９０を、該フローリング材９０の長手方向が基板７０の長手方向と直交方向となるように敷設し、釘打ちして小根太に固定する。なお、このフローリング材９０は、一般に、短手幅が３０３ｍｍ（一尺）である。さらに、一般に、隣り合う小根太の中心間の間隔は３０３ｍｍ（一尺）である。
【０００８】
この釘打ちは、フローリング材９０の長側辺に沿って行なわれるが、釘が温調配管７１を貫くことがないようにするために、各スペース８３の基板７０の長手方向の位置を同一としている。即ち、各スペース８３を結ぶ直線は、基板７０の長手方向と直交方向となっている。
【０００９】
このようにスペース８３の位置を揃えるために、各小根太は小小根太８１と長小根太８２とで構成されている。
【特許文献１】特開２００６−２２６６０４号公報
【発明の開示】
【発明が解決しようとする課題】
【００１０】
上記特開２００６−２２６６０４号公報の温水マットにあっては、各小根太に必ず、温水マットの端辺と小小根太８１の端部とが一致するように小小根太８１が設けられているので、構成部材点数が多く、コスト高である。
【００１１】
本発明は、小小根太を設けなくとも、ヘッダから温調用配管を温調マットに引き通すことができ、さらに、フローリング材を小根太に釘留めすることができる温調マットを提供することを目的とする。
【課題を解決するための手段】
【００１２】
本発明（請求項１）の温調マットは、床上に敷設される略方形の平面視形状を有した温調マットであって、該温調マットは、それぞれ、対向する１対の第１の端辺（Ｌ１）と、該第１の端辺（Ｌ１）と交叉方向に延在した、対向する１対の第２の端辺（Ｌ２）とを有する平面視四角形状であり、且つそれぞれ上面に配管収容用の溝が設けられており、該第１の端辺（Ｌ１）同士を平行にして配列された複数枚の基板と、各基板の該第１の端辺（Ｌ１）同士の間に配置された小根太と、一部の基板の一方の該第２の端辺（Ｌ２）近傍に設けられたヘッダと、該ヘッダに連なり、該溝に収容された温調用配管と、各基板の上面を覆うように配置された均熱シートとを有し、前記ヘッダは、該ヘッダを有したヘッダ付き基板の該第１の端辺（Ｌ１）の小根太に対面する側部にｎ個（ｎは２以上）の配管接続口を備え、各配管接続口にそれぞれ前記温調配管が接続されており、該配管接続口に対面する該小根太は、前記一方の第２の端辺（Ｌ２）側の第１小根太と、該第１小根太と間隔をあけて配置された第２小根太とを有しており、該第１小根太と前記一方の第２の端辺（Ｌ２）との間に第１のスペースがあいており、第１小根太と第２小根太との間に第２のスペースがあいており、前記ヘッダの前記配管接続口に連なる温調配管の一部のものは該第１のスペースを通って、そして他のものは第２のスペースを通って、それぞれ前記ヘッダ付き基板から、隣接基板に引き回されていることを特徴とするものである。
【００１３】
請求項２の温調マットは、請求項１において、前記ヘッダ付き基板以外の基板同士の間の小根太と、該基板の前記第２の端辺（Ｌ２）との間に第３のスペースがあいており、該第３のスペースにｎ本の前記温調配管が引き通されていることを特徴とするものである。
【００１４】
請求項３の温調マットは、請求項１又は２において、前記一方の第２の端辺（Ｌ２）と前記第１小根太の前記第２小根太側の先端との距離が実質的に３０３ｍｍの整数倍であることを特徴とするものである。
【００１５】
請求項４の温調マットは、請求項１ないし３のいずれか１項において、前記基板の第１の端辺（Ｌ１）方向における前記第２のスペースの幅は実質的に３０３ｍｍ以下であることを特徴とするものである。
【００１６】
請求項５の温調マットは、請求項２ないし４のいずれか１項において、前記基板の第１の端辺（Ｌ１）方向における前記第１のスペース及び第３のスペースの幅は、それぞれ実質的に１５１．５ｍｍよりも小さいことを特徴とするものである。
【発明の効果】
【００１７】
本発明（請求項１）の温調マットにあっては、ヘッダからの温調配管を、第１小根太と第２小根太との間の第２スペースと、第１小根太と基板の一方の第２の端辺（Ｌ２）との間の第１スペースとに分配させて引き通すため、小小根太を設けなくても、温調用配管を温調マットに引き通すことができる。
【００１８】
従って、本発明によると、小小根太を設けなくてもよくなり、温調マットの製造コストダウンを図ることができる。
【００１９】
請求項２の温調マットにあっては、温調用配管は、小根太と基板の第１の端辺（Ｌ１）との間の第３のスペースに引き通される。従って、小小根太を設けなくてもよくなり、温調マットの製造コストダウンを図ることができる。
【００２０】
請求項３，４の温調マットにあっては、フローリング材は、その長側辺が第１の小根太と第２の小根太との間の第２のスペースの上に重ならない位置関係にて配材されるようになる。これにより、釘で温調配管を貫くことなく、フローリング材の長側辺を確実に第１又は第２の小根太に釘留めすることができる。
【００２１】
請求項５の温調マットにあっては、複数枚の温調マットを、各々の第３のスペースが対面するように床下地に敷設した場合であっても、両温調マットの第３のスペースの合計長さがフローリング材の短手幅３０３ｍｍ（１５１．５×２ｍｍ）よりも小さいので、必ず、フローリング材を、その両方の長側辺が第３のスペースに重ならないように配材することができる。
【００２２】
なお、前述の通り、一般的に流通している規格品のフローリング材は、通常、短手幅が３０３ｍｍとなっている。本発明では、実質的に３０３ｍｍとは、２９３〜３１３ｍｍの範囲にあることを表し、実質的に１５１．５ｍｍとは、１４１．５〜１６１．５ｍｍの範囲にあることを表す。
なお、本発明においては、基板の第１の端辺（Ｌ１）とは、基板の端辺のうち、小根太の長手方向と平行な端辺のことをいい、基板の第２の端辺（Ｌ２）とは、基板の端辺のうち、小根太の短手方向と平行な端辺のことをいう。
【発明を実施するための最良の形態】
【００２３】
以下、図面を参照して実施の形態について説明する。以下の各実施の形態は、床暖房マットへの本発明の適用例である。なお、以下の各実施の形態は本発明の一例であり、本発明は以下の各実施の形態以外の形態をもとりうる。また、以下の各実施の形態においては、第２図の通り、各基板の長辺が第１の端辺（Ｌ１）に相当し、各基板の短辺が第２の端辺（Ｌ２）に相当する。
【００２４】
［実施の形態に係る温調マットとしての床暖房マット１］  
第１図は実施の形態に係る温調床マットとしての床暖房マットの平面図、第２図は第１図のII部分（ヘッダー付近）の拡大図、第３図は第１図のIII−III線に沿う断面図、第４図は基板、温調配管としての温水配管及び均熱シートの分解図である。
【００２５】
なお、第１図及び第２図では、均熱シート５の図示が省略されている。
【００２６】
この床暖房マット１は、略長方形の８枚の分割マットＡ〜Ｈと、各分割マットＡ〜Ｈの上面に設けられた配管収容用の溝４に収容されて該基板Ａ〜Ｈの上面に引き回された温調配管としての温水配管３と、各分割マットＡ〜Ｈの上面を覆う均熱シート５と、該温水配管３が連なるヘッダ６等を有している。
【００２７】
この実施の形態では、分割マットＡ，Ｄ，Ｅ，Ｈ同士が略同一の形状及び大きさとなっており、互いの長辺の長さ及び互いの短辺の長さがそれぞれ略等しいものとなっている。また、分割マットＢ，Ｃ，Ｆ，Ｇ同士も略同一の形状及び大きさとなっており、互いの長辺の長さ及び互いの短辺の長さがそれぞれ略等しいものとなっている。なお、この実施の形態では、各分割マットＡ〜Ｈは、各々の長辺の長さが略同一寸法となっている。
【００２８】
第１図の通り、分割マットＡ〜Ｄがこの順に一列に配列され、分割マットＥ〜Ｈがこの順に、且つ該分割マットＡ〜Ｄに隣接するように一列に配列されている。
【００２９】
分割マットＡ〜Ｄ及びＥ〜Ｈは、それぞれ、互いの長辺同士を突き合わせるように配置されている。また、分割マットＡ〜Ｄの列と分割マットＥ〜Ｈの列との間では、分割マットＡ，Ｅ同士、分割マットＢ，Ｆ同士、分割マットＣ，Ｇ同士及び分割マットＤ，Ｈ同士がそれぞれ互いの短辺同士を突き合わせるようにして隣接している。
【００３０】
符号Ｔ１は分割マットＡ，Ｂ間及びＥ，Ｆ間の突き合わせ部を示し、Ｔ２は分割マットＢ，Ｃ間及びＦ，Ｇ間の突き合わせ部を示し、Ｔ３は分割マットＣ，Ｄ間及びＧ，Ｈ間の突き合わせ部を示し、Ｔ４は分割マットＡ〜Ｄの列とＥ〜Ｈの列との間の突き合わせ部を示している。
【００３１】
これらの分割マットＡ〜Ｈを配列してなる床暖房マット１は、第１図の通り、全体として略長方形の平面視形状を有している。この実施の形態では、分割マットＡ〜Ｄ及びＥ〜Ｈの配列方向即ち各分割マットＡ〜Ｈの短辺方向が床暖房マット１の長辺方向となっている。各分割マットＡ〜Ｈの短辺方向の幅は、実質的に３０３ｍｍ（１尺）の整数倍であることが好ましい。
【００３２】
この実施の形態では、分割マットＡ，Ｂ間、分割マットＢ，Ｃ間、分割マットＣ，Ｄ間、分割マットＥ，Ｆ間、分割マットＦ，Ｇ間、分割マットＧ，Ｈ間及び分割マットＡ，Ｅ間においてそれぞれ各突き合わせ部Ｔ１〜Ｔ４を跨いで一方の分割マットから他方の分割マットに連続して温水配管３が引き回されており、この温水配管３により、分割マットＡ，Ｂ同士、分割マットＢ，Ｃ同士、分割マットＣ，Ｄ同士、分割マットＥ，Ｆ同士、分割マットＦ，Ｇ同士、分割マットＧ，Ｈ同士及び分割マットＡ，Ｅ同士が連結されている。
【００３３】
この実施の形態では、床暖房マット１は、これらの分割マットＡ，Ｂ間、分割マットＢ，Ｃ間、分割マットＣ，Ｄ間、分割マットＥ，Ｆ間、分割マットＦ，Ｇ間、分割マットＧ，Ｈ間及び分割マットＡ，Ｅ間をそれぞれ各突き合わせ部Ｔ１〜Ｔ４に沿って谷折り（折り目が床暖房マット１の下面側に凸となるように折ること）又は山折り（折り目が床暖房マット１の上面側に凸となるように折ること）することにより、小さく折り畳むことが可能である。図示はしないが、床暖房マット１は、巻き形状等の他の形態に畳まれても良い。また、サイズの小さい床暖房マットは、畳まれなくても良い。
【００３４】
この実施の形態では、分割マットＡ，Ｄ，Ｅ，Ｈは、それぞれ、３枚の帯板状（細長い長方形状）の基板１０〜１２と、２本の小根太３０とを、各々の長手方向を各分割マットＡ，Ｄ，Ｅ，Ｈの長辺方向として、各分割マットＡ，Ｄ，Ｅ，Ｈの短辺方向に交互に配列した如き構成となっている。
【００３５】
また、分割マットＢ，Ｃ，Ｆ，Ｇは、それぞれ、４枚の帯板状の基板１３〜１６と、３本の小根太３０とを、各々の長手方向を各分割マットＢ，Ｃ，Ｆ，Ｇの短辺方向として、各分割マットＢ，Ｃ，Ｆ，Ｇの長辺方向に交互に配列した如き構成となっている。
【００３６】
各基板１０〜１６は、各々の長側辺を隣接する小根太３０に突き合わせるようにして配置されている。各基板１０〜１６の長さは、各分割マットＡ〜Ｈの長辺方向の幅と略等しい。また、各小根太３０の長さは、各基板１０〜１６の長さよりも短い。
【００３７】
本発明においては、各基板１０〜１６の長さは、実質的に３０３ｍｍの整数倍となっていることが好ましい。また、隣り合う小根太３０，３０は、各々の幅方向（長手方向と交叉方向）の中間（芯）同士の間隔が実質的に３０３ｍｍとなるように配列されていることが好ましい。
【００３８】
この実施の形態では、例えば各小根太３０の幅が４５ｍｍとされ、隣り合う小根太３０，３０同士の間に配置される各基板１１，１４，１５の幅がそれぞれ２５８ｍｍとされている。この実施の形態では、後述のように床暖房マット１の外縁に配置される各基板１０の幅も２５８ｍｍとされている。また、小根太３０を介さずに隣接する基板に突き合わされる基板１２，１３，１６の幅は、実質的に基板１０，１１，１４，１５の半分、即ち１２９ｍｍとされている。
【００３９】
分割マットＡ，Ｄ，Ｅ，Ｈにおいては、それぞれ、基板１０，１１同士の間の小根太３０は、一端を該基板１０，１１の一方の短辺の一端に揃えるようにして配置され、基板１１，１２同士の間の小根太３０は、他端を基板１１，１２の他方の短辺に揃えるようにして配置されている。
【００４０】
また、分割マットＢ，Ｃ，Ｆ，Ｇにおいては、それぞれ、基板１３，１４同士の間及び基板１５，１６同士の間の各小根太３０は、一端を各基板１３〜１６の一方の短辺に揃えるようにして配置され、基板１４，１５同士の間の小根太３０は、他端を各基板１４〜１５の他方の短辺に揃えるようにして配置されている。
【００４１】
各分割マットＡ，Ｄ，Ｈの基板１０，１１同士、並びに分割マットＢ，Ｃ，Ｆ，Ｇの基板１３，１４同士及び１５，１６同士は、それぞれ、各々の間の小根太３０の前記他端側を回り込むように形成された連結部３１によって連結されている。また、各分割マットＡ，Ｄ，Ｅ，Ｈの基板１１，１２同士、並びに各分割マットＢ，Ｃ，Ｆ，Ｇの基板１４，１５同士は、各々の間の小根太３０の前記一端側を回り込むように形成された連結部３１によって連結されている。
【００４２】
分割マットＥの基板１０，１１間の小根太３０（３０’）の構成、及びこの小根太３０’を挟んだ基板１０，１１同士の連結部の構成については、後に詳述する。
【００４３】
第１図の通り、分割マットＡ，Ｅは、それぞれ、基板１２を分割マットＢ，Ｆの基板１３に突き合わせるようにして配置されている。また、分割マットＣ，Ｇは、それぞれ、第１図における上下方向を分割マットＢ，Ｆと逆にして、各々の基板１６を該分割マットＢ，Ｆの基板１６に突き合わせるようにして配置されている。さらに、分割マットＤ，Ｈは、それぞれ、第１図における上下方向を分割マットＡ，Ｅと逆にして、各々の基板１２を分割マットＣ，Ｇの基板１３に突き合わせるようにして配置されている。
【００４４】
以下、分割マットＡ〜Ｄの列及び分割マットＥ〜Ｈの列の各小根太３０を、それぞれ、第１図において最も左側に配置された小根太３０から順に１列目の小根太３０、２列目の小根太３０、３列目の小根太３０、４列目の小根太３０、５列目の小根太３０、６列目の小根太３０、７列目の小根太３０、８列目の小根太３０、９列目の小根太３０及び１０列目の小根太３０と称することがある。
【００４５】
第１図の通り、この実施の形態では、分割マットＡ〜Ｄの列においては、奇数列目の小根太３０の前記突き合わせ部Ｔ４と反対側の端部（以下、この突き合わせ部Ｔ４と反対側の端部を外側端部ということがある。）がそれぞれ各分割マットＡ〜Ｄの該突き合わせ部Ｔ４と反対側の短辺（以下、この突き合わせ部Ｔ４と反対側の短辺を外側辺ということがある。）に揃っており、これらの小根太３０の該突き合わせ部Ｔ４側の端部（以下、この突き合わせ部Ｔ４側の端部を内側端部ということがある。）と各分割マットＡ〜Ｄの該突き合わせ部Ｔ４側の短辺（以下、この突き合わせ部Ｔ４側の短辺を内側辺ということがある。）との間のスペースにそれぞれ連結部３１が配置されている。
【００４６】
また、この分割マットＡ〜Ｄの列における偶数列目の小根太３０の内側端部はそれぞれ各分割マットＡ〜Ｄの内側辺に揃っており、これらの小根太３０の外側端部と各分割マットＡ〜Ｄの外側辺との間のスペースにそれぞれ連結部３１が配置されている。
【００４７】
分割マットＥ〜Ｈの列においては、奇数列目の小根太３０の内側端部はそれぞれ各分割マットＥ〜Ｈの内側辺に揃っており、これらの小根太３０の外側端部と各分割マットＥ〜Ｈの外側辺との間のスペースにそれぞれ連結部３１が配置されている。また、この分割マットＥ〜Ｈの列における偶数列目の小根太３０の外側端部はそれぞれ各分割マットＥ〜Ｈの外側辺に揃っており、これらの小根太３０の内側端部と各分割マットＥ〜Ｈの内側辺との間のスペースにそれぞれ連結部３１が配置されている。
【００４８】
この実施の形態では、各連結部３１が第３のスペースとなっている。本発明においては、各基板１０〜１６の長辺方向における該連結部３１の幅は、実質的に１５１．５ｍｍ（１／２尺）よりも小さいことが好ましい。
【００４９】
この実施の形態では、分割マットＥの基板１０に前記ヘッダ６が配置されている。この基板１０には、その外側辺から方形の切欠状のヘッダ設置部１０ａが形成されており、このヘッダ設置部１０ａ内にヘッダ６が設置されている。
【００５０】
第２図に示すように、ヘッダ６の該ヘッダ設置部１０ａの入口側の端部には、暖房床が構築される室の床下地に配設された給湯管及び排湯管（いずれも図示略）がそれぞれ接続される給湯口６ａ及び排湯口６ｂが設けられている。この給水口６ａ及び排水口６ｂから基板１０の外側辺までの間隔（ヘッダ設置部１０ａのヘッダ６までの奥行き）は、５０〜２００ｍｍ程度となっている。施工性を良くするという観点と、床暖房マット１上面の温度斑を生じ難くするという観点から、好ましくは、７５〜１００ｍｍ程度とされる。床暖房マット１を床下地上に敷設した場合、前記給湯管及び排湯管がこのヘッダ設置部１０ａの空所内に配置されて該給水口６ａ及び排水口６ｂにそれぞれ接続される。
【００５１】
この実施の形態では、該ヘッダ６は、その基板１０，１１間の小根太３０’に対面する側部及びこれと反対側の側部に、それぞれ４個の配管接続口６ｃ（第２図）を備えており、各配管接続口６ｃにそれぞれ前記温水配管３が設置されている。ヘッダ６の両側部において、これらの配管接続口６ｃ同士は、それぞれ基板１０の長辺方向に所定の間隔をあけて配列されている。
【００５２】
なお、この実施の形態では、ヘッダ６の両側部の４個の配管接続口６ｃのうち、それぞれ、基板１０の外側辺に近い方の２個の配管接続口６ｃが各温水配管３に温水を供給する送り側配管接続口６ｃとなっており、該外側辺から遠い方の２個の配管接続口６ｃが各温水配管３から温水を排出する戻り側配管接続口６ｃとなっている。ただし、送り側配管接続口６ｃと戻り側配管接続口６ｃとの配置はこれに限定されない。
【００５３】
この分割マットＥの基板１０，１１間の小根太３０’は、該基板１０，１１の外側辺側に配置された第１小根太３０Ａと、該第１小根太３０Ａと間隔をあけて該第１小根太３０Ａよりも突き合わせ部Ｔ４側に配置された第２小根太３０Ｂとを有している。該第１小根太３０Ａは、第２小根太３０Ｂよりも長さが短いものとなっている。
【００５４】
該第１小根太３０Ａは、基板１０，１１の外側辺から突き合わせ部Ｔ４側へ所定距離離隔している。この第１小根太３０Ａの該突き合わせ部Ｔ４と反対側の端部を回り込むようにして、基板１０，１１同士を連結する第１連結部３２が形成されている。また、この第１小根太３０Ａの突き合わせ部Ｔ４側の端部と第２小根太３０Ｂの該突き合わせ部Ｔ４と反対側の端部との間を横切って、基板１０，１１同士を連結する第２連結部３３が形成されている。該第２小根太３０Ｂの突き合わせ部Ｔ４側の端部は該突き合わせ部Ｔ４に臨んでいる。
【００５５】
この実施の形態では、該第１連結部３２が第１のスペースであり、第２連結部３３が第２のスペースとなっている。本発明においては、第２図のように、基板１０の長辺方向における該第１連結部３２の幅Ｗ１は、実質的に１５１．５ｍｍよりも小さいことが好ましい。また、基板１０の長辺方向における第２連結部３３の幅Ｗ２は、実質的に３０３ｍｍよりも小さいことが好ましい。
【００５６】
本発明においては、基板１０の外側辺から第１小根太３０Ａの突き合わせ部Ｔ４側の端部までの距離Ｄ（第２図）は、実質的に３０３ｍｍの整数倍であることが好ましい。
【００５７】
この実施の形態では、ヘッダ６の小根太３０’側の側部の４個の配管接続口６ｃのうち、分割マットＥの基板１０の外側辺に近い方の２個の配管接続口６ｃにそれぞれ接続された２本の温水配管３が第１連結部３２を通って分割マットＥの基板１０から基板１１に引き回され、突き合わせ部Ｔ４に近い方の２個の配管接続口６ｃにそれぞれ接続された２本の温水配管３が第２連結部３３を通って分割マットＥの基板１０から基板１１に引き回されている。なお、この温水配管３の他の配管ルートについては、後に詳述する。
【００５８】
この実施の形態では、各基板１０〜１６の上面に、それぞれ、各基板１０〜１６の長辺方向に延在する４条の配管収容用の溝４が延設されている。
【００５９】
分割マットＥの基板１０，１１間以外の、連結部３１によって連結された基板１０〜１２同士の間、並びに基板１３〜１６同士の間においては、これらの溝４同士は該連結部３１を通って連続している。
【００６０】
分割マットＥの基板１０においては、各溝４の突き合わせ部Ｔ４と反対側の端部は、ヘッダ設置部１０ａの小根太３０’と反対側に回り込み、ヘッダ６の該小根太３０’と反対側の側部の各配管接続口６ｃにそれぞれ臨んでいる。
【００６１】
この基板１０のうち該ヘッダ設置部１０ａの小根太３０’側には、一端がヘッダ６の該小根太３０’側の側部の各接続配管口６ｃにそれぞれ臨む４条の溝４が設けられている。これらの溝４のうち、基板１０の外側辺に近い方の２条の溝４は、前記第１連結部３２を通って基板１１に連続しており、該外側辺から遠い方の２条の溝４は、前記第２連結部３３を通って基板１１に連続している。
【００６２】
この実施の形態では、分割マットＡの基板１０及び分割マットＥの基板１０の各溝４の突き合わせ部Ｔ４側の端部は、それぞれ、これらの基板１０の内側辺（突き合わせ部Ｔ４側の短辺）に臨んでいる。床暖房マット１を展開した状態においては、突き合わせ部Ｔ４を挟んで分割マットＡの基板１０と分割マットＥの基板１０との各溝４の端部同士が対面する。これにより、これらの溝４が該突き合わせ部Ｔ４を横切って分割マットＥの基板１０から分割マットＡの基板１０に連続して延在したものとなる。
【００６３】
この分割マットＥの基板１０から分割マットＡの基板１０に連続する各溝４は、これらの基板１０の内側辺付近で円弧状に湾曲している。この溝４の分割マットＥ側と、分割マットＡ側とは、互いに反対側に向って凸となる円弧形状を呈するように湾曲している。従って、床暖房マット１を展開した状態においては、この溝４は、分割マットＥから分割マットＡにかけて略Ｓ字形に延在したものとなる。
【００６４】
温水配管３は、この溝４に収容され、突き合わせ部Ｔ４を横切って分割マットＥから分割マットＡに連続して引き回されている。また、この温水配管３は、該突き合わせ部Ｔ４付近において、溝４に沿ってＳ字形に蛇行している。これにより、この温水配管３のうち突き合わせ部Ｔ４に重なる部分は、該突き合わせ部Ｔ４に沿って延在したものとなっている。
【００６５】
この実施の形態では、分割マットＡ，Ｂ間、Ｃ，Ｄ間、Ｅ，Ｆ間及びＧ，Ｈ間の基板１２，１３同士の間においても、上記の分割マットＡ，Ｅ間と同様に、各溝４は、突き合わせ部Ｔ１，Ｔ３を横切って基板１２から基板１３に連続し、且つ該基板１２から基板１３にかけて略Ｓ字形に延在するように延設されている。そして、温水配管３は、この溝４に収容されて、突き合わせ部Ｔ１，Ｔ３を横切って分割マットＡ，Ｂ同士、Ｃ，Ｄ同士、Ｅ，Ｆ同士及びＧ，Ｈ同士の間にそれぞれ連続して引き回されており、なおかつ該突き合わせ部Ｔ１，Ｔ３付近においてそれぞれ各溝４に沿ってＳ字形に蛇行し、該突き合わせ部Ｔ１，Ｔ３に重なる部分は該突き合わせ部Ｔ１，Ｔ３に沿って延在したものとなっている。
【００６６】
また、この実施の形態では、分割マットＢ，Ｃ間及びＦ，Ｇ間の基板１６，１６同士の間においても、上記の分割マットＡ，Ｅ間と同様に、各溝４は、突き合わせ部Ｔ２を横切って一方の基板１６から他方の基板１６に連続し、且つ該一方の基板１６から他方の基板１６にかけて略Ｓ字形に延在するように延設されている。そして、温水配管３は、この溝４に収容されて、突き合わせ部Ｔ２を横切って分割マットＢ，Ｃ同士及びＦ，Ｇ同士の間に連続して引き回されており、なおかつ該突き合わせ部Ｔ２付近においてそれぞれ各溝４に沿ってＳ字形に蛇行し、該突き合わせ部Ｔ２に重なる部分は該突き合わせ部Ｔ２に沿って延在したものとなっている。
【００６７】
この実施の形態では、ヘッダー６から小根太３０’側及びこれと反対側にそれぞれ２系統の温水配管３が引き回されている。
【００６８】
ヘッダ６から小根太３０’側に引き回された２系統の温水配管３は、それぞれ、一端がヘッダ６の該小根太３０’側の側部の前記送り側配管接続口６ｃに接続され、次いで、第１連結部３２を通って分割マットＥの基板１０から基板１１に引き回され、次いで、この分割マットＥの基板１１から各連結部３３及び該分割マットＥの基板１２、分割マットＦの基板１３〜１６、分割マットＧの基板１６〜１３及び分割マットＨの基板１２，１１を通って該分割マットＨの基板１０まで引き回され、次いで、この分割マットＨの基板１０でＵターンし、再び各連結部３１及び該分割マットＨの基板１１，１２、分割マットＧの基板１３〜１６、分割マットＦの基板１６〜１３、分割マットＥの基板１２を通って該分割マットＥの基板１１まで戻り、その後、第２連結部３３を通って該分割マットＥの基板１１から基板１０に引き回され、他端がヘッダ６の小根太３０’側の側部の前記戻り側配管接続口６ｃに接続されている。
【００６９】
ヘッダ６から小根太３０’と反対側に引き回された２系統の温水配管３は、それぞれ、一端がヘッダ６の該小根太３０’と反対側の側部の送り側配管接続口６ｃに接続され、次いで、分割マットＥの基板１０から突き合わせ部Ｔ４を横切って分割マットＡの基板１０に引き回され、次いで、この分割マットＡの基板１０から、各連結部３１及び該分割マットＡの基板１１，１２、分割マットＢの基板１３〜１６、分割マットＣの基板１６〜１３、分割マットＤの基板１２，１１を通って該分割マットＤの基板１０まで引き回され、次いで、この分割マットＤの基板１０でＵターンし、再び各連結部３１及び該分割マットＤの基板１１，１２、分割マットＣの基板１３〜１６、分割マットＢの基板１６〜１３、分割マットＡの基板１２，１１を通って該分割マットＡの基板１０に戻り、その後、突き合わせ部Ｔ４を横切って分割マットＥの基板１０に引き回され、他端がヘッダ６の小根太３０’と反対側の側部の戻り側配管接続口６ｃに接続されている。
【００７０】
なお、一般に、この温水配管３としては、可撓性を有する架橋ポリエチレン製パイプが用いられる。この架橋ポリエチレン製パイプの内径φ１（第４図）は、ボイラからの給湯時の圧力損失を考慮して一般に５ｍｍ程度とされる。この場合、この架橋ポリエチレン製パイプの外径φ２（第４図）は７ｍｍ程度となる。
【００７１】
このサイズの架橋ポリエチレン製パイプを座屈させないように湾曲させた場合の最小の曲率半径は、約３８ｍｍ（１／８尺）程度である。そのため、実質的に幅２５８ｍｍの基板１０の該幅方向の中央付近にヘッダ６を配置し、このヘッダ６の小根太３０’側の配管接続口６ｃに接続された温水配管３を該基板１０の外側辺側へ湾曲させて第１連結部３２に引き回す場合、３本以上の温水配管３を座屈させることなく基板１０の外側辺側へ湾曲させて第１連結部３２に引き回すのは困難である。従って、この場合、ヘッダ６から２本の温水配管３を第１連結部３２に引き回すのに留めておくことが好ましい。
【００７２】
温水配管３を溝４に収容しつつ上記の配管ルートで引き回した後、分割マットＡ〜Ｈの上面を覆うように均熱シート材５が配置され、この均熱シート材５が各分割マットＡ〜Ｈの上面に接着剤等により貼り付けられている。
【００７３】
このように構成された床暖房マット１を用いて暖房床を構築する手順について次に説明する。
【００７４】
まず、室の床下地のうち床暖房マット配置予定領域を取り囲むようにダミー材（図示略）を配置し、次いで、床暖房マット１を展開してこの床暖房マット配置領域に敷き、この室内に配設された給湯管及び排湯管をそれぞれヘッダ６の給湯口６ａ及び排湯口６ｂに接続する。
【００７５】
次に、室の端から、順次、このダミー材と床暖房マット１との上にフローリング材４０（第２図）を敷設する。この際、各フローリング材４０を、その長手方向が床暖房マット１の各小根太３０の延在方向と略直交方向となるように配材する。
【００７６】
フローリング材４０は、床暖房マット１上においては、複数の小根太３０に跨って配置される。この際、第２図の通り、各フローリング材４０の短辺を小根太３０に重ねるようにする。そして、各フローリング材４０を釘（図示略）で各小根太３０に留め付ける。
【００７７】
なお、このフローリング材４０は、一般的に流通している規格品のフローリング材であり、短手幅が実質的に３０３ｍｍであり、長手幅が実質的に３０３ｍｍの整数倍となっている。この床暖房マット１は、隣り合う小根太３０，３０の芯同士の間隔が３０３ｍｍとなっているので、フローリング材４０の一方の短辺を小根太３０に重ねると、このフローリング材４０の他方の短辺も別の小根太３０に重なるようになる。
【００７８】
図示は省略するが、分割マットＡ〜Ｄの列と分割マットＥ〜Ｈの列との突き合わせ部Ｔ４にフローリング材４０を敷設する際には、該突き合わせ部Ｔ４を跨いでフローリング材４０が配置される。この際、フローリング材４０を、その両長側辺が該突き合わせ部Ｔ４と、これに隣接する各連結部３１とに重ならないように配置する。そして、このフローリング材１の両長側辺を、各連結部３１の両側に位置する小根太３０，３０上にそれぞれ重ねる。
【００７９】
なお、前述の通り、この床暖房マット１にあっては、各連結部３１の幅は実質的に１５１．５ｍｍよりも小さいので、フローリング材４０を突き合わせ部Ｔ４に跨るように設置したときに、その両長側辺を、該突き合わせ部Ｔ４よりも分割マットＡ〜Ｄ側の各連結部３１と、分割マットＥ〜Ｈ側の各連結部３１との双方に重ならないように配置することができる。これにより、このフローリング材４０の両長側辺を、各連結部３１の両側に位置する小根太３０に確実に釘打ちすることができる。
【００８０】
この床暖房マット１にあっては、各基板１０〜１６の長さは実質的に３０３ｍｍの整数倍となっており、且つ分割マットＥの外側辺から第１小根太３０Ａの突き合わせ部Ｔ４側の端部までの距離Ｄが３０３ｍｍの整数倍となっている。そのため、突き合わせ部Ｔ４上に配置されるフローリング材４０を上記のように配置した場合、分割マットＥ〜Ｈの列の外側辺上に配置されるフローリング材４０は、その長側辺が第１連結部３２に重なることなく、必ず、一方の長側辺が第１小根太３０Ａに重なり、且つ他方の長側辺がダミー材上に重なるようになる。
【００８１】
また、この床暖房マット１にあっては、第２連結部３３の幅は実質的に３０３ｍｍよりも小さいので、第２図のように、この分割マットＥ〜Ｈの外側辺上に配置されるフローリング材４０に対し突き合わせ部Ｔ４側に隣接して配置されるフローリング材４０も、その長側辺の少なくとも一方が、必ず、第１小根太３０Ａ又は第２小根太３０Ｂに重なるようになる。
【００８２】
これにより、釘で温水配管３を貫くことなく、フローリング材４０を確実に小根太３０，３０Ａ，３０Ｂに釘留めすることができる。
【００８３】
以上の通り、この床暖房マット１にあっては、ヘッダ６を有しない大部分の基板１０〜１６同士の間の小根太３０は、小小根太なしに１本の長い小根太のみにて構成されており、小小根太（第１の小根太３０Ａ）は、ヘッダ６を有した分割マットＥの基板１０，１１間の小根太３０’にのみ設けられている。そのため、この床暖房マット１によれば、小小根太の数が極めて少数となり、床暖房マットの製造コストダウンを図ることができる。
【００８４】
［材質等］
上記各部材の材質の一例として次のものが挙げられるが、これらに限定されるものではない。
【００８５】
温調マットを構成する基板の材質としては、例えば発泡ポリプロピレン、発泡ポリスチレン、発泡ポリエチレン、発泡ポリウレタン等の発泡合成樹脂のほか、木材等を用いることができる。発泡合成樹脂としては、断熱性の点から、内部の気泡が独立気泡となっているものが好ましい。
【００８６】
小根太としては、木材や、釘打ち可能な合成木材又は合成樹脂が好ましい。
【００８７】
均熱シート材としては、アルミ又は銅の金属箔が好ましい。
【００８８】
温水配管としては、前述の通り、一般的には架橋ポリエチレン製パイプが用いられるが、温水配管の材質はこれに限定されるものではなく、例えば他の合成樹脂製パイプや、銅パイプ等の金属パイプなどが用いられてもよい。
【００８９】
［その他の構成］
上記の実施の形態は、本発明の一例を示すものであり、本発明は図示の構成に限定されない。
【００９０】
例えば、上記の実施の形態では、８枚の略長方形状の分割マットＡ〜Ｈを集合状に配列して床暖房マット１を構成しているが、床暖房マット１を構成する分割マットの枚数及び形状はこれに限定されない。また、各分割マットを構成する基板及び小根太の本数や形状なども、図示の構成に限定されない。本発明の床暖房マットは、複数の分割マットに分割されていない、単体のマットにより構成されていてもよい。
【００９１】
上記の実施の形態では１枚の床暖房マット１を床に敷設して暖房床を構築しているが、床面積や床暖房マット１のサイズに応じて、複数枚の床暖房マット１を床に敷接して暖房床を構築してもよい。本発明においては、複数枚の温調マット１を、各々の連結部３１同士が対面するように床上に敷設した場合であっても、両温調マット１の該連結部３１の合計長さがフローリング材９０の短手幅３０３ｍｍ（１５１．５×２ｍｍ）よりも小さいので、必ず、フローリング材９０を、その両方の長側辺が連結部３１に重ならないように配材することができる。
【００９２】
温水配管３の配管ルートは図示のルートに限定されるものではない。また、上記の実施の形態では床暖房マット１のコーナー部にヘッダ６を配置しているが、ヘッダ６の配置はこれに限定されるものではない。例えば、ヘッダ４は床暖房マットの側辺の中間付近等に配置されてもよい。
【００９３】
上記の実施の形態では温水配管３が直に各溝４内に収容されているが、各溝４の内面から各分割マットＡ〜Ｈの上面にかけて熱伝導部材を配材し、温水配管３を、この熱伝導部材に接するように溝４内に収容するよう構成してもよい。このように構成することにより、温水配管３からの熱を、この熱伝導部材を介してより効率よく均熱シート材５に伝えることができる。
【００９４】
上記の実施の形態は、床暖房マットに関するものであるが、本発明の温調マットは、壁や天井等に配置されてもよい。また、温水ではなく、冷水を配管に通水して冷房するようにしてもよい。水以外のオイル、不凍液等の熱媒体を流通させてもよい。
【図面の簡単な説明】
【００９５】
【図１】実施の形態に係る温調床マットとしての床暖房マットの平面図である。
【図２】図１のII部分（ヘッダー付近）の拡大図である。
【図３】図１のIII−III線に沿う断面図である。
【図４】図１の床暖房マットの基板、温調配管としての温水配管及び均熱シートの分解図である。
【図５】従来例に係る温水マットの平面図である。
【図６】図５の温水マットのヘッダ付近の拡大図である。
【符号の説明】
【００９６】
Ａ〜Ｈ  分割マット
１  床暖房マット
３  温水配管
４  溝
６  ヘッダ
５  均熱シート材
１０〜１６  基板
３０，３０’  小根太
３０Ａ  第１小根太
３０Ｂ  第２小根太
３１  第３のスペースとしての連結部
３２  第１のスペースとしての連結部
３３  第２のスペースとしての連結部
４０  フローリング材
【図１】
2009109132.tif 000003
【図２】
2009109132.tif 000004
【図３】
2009109132.tif 000005
【図４】
2009109132.tif 000006
【図５】
2009109132.tif 000007
【図６】
2009109132.tif 000008